(57)【要約】【課題】接続された機器の機能に応じた複数のスイッチを、操作パネル上にて適切な配置状態にて配置することで、システムの多機能化に対応し、かつ操作性を向上させる。【解決手段】ＣＰＵ４２は、取得した各機器の機能情報を分類する情報分類部４２ａと、分類した機能情報を操作パネル１０のタッチパネル機能における表示レイアウトと関連付ける関連付け部４２ｂと、表示レイアウトに関連付けられた分類された機能情報をスイッチとして配置するＳＷ配置部４２ｃと、を備えて構成される。【選択図】図１
2009201593.tif 000002
【特許請求の範囲】
【請求項１】
被写体の像を撮像して得られる撮像信号に基づいて映像信号を生成する映像処理装置と、前記映像処理装置に接続される外部機器とから構成される信号処理システムにおいて、
前記映像処理装置の機能、あるいは前記外部機器が有する機能の、少なくとも１つの機能を動作させるためのスイッチ図形を表示する表示手段と、前記表示手段における前記スイッチ図形を表示するスイッチ領域での操作を検知する検知手段とを備えたタッチパネル機能を有する操作パネルと、
前記信号処理装置の機能及び前記外部機器が有する機能の、機能情報を格納した記憶手段と、
前記機能情報を前記記憶手段より読み出し、前記機能情報を前記映像処理装置及び前記外部機器からなるシステムのシステム構成に応じて分類する機能分類手段と、
前記機能分類手段にて分類された前記機能情報を、前記スイッチ図形に関連付ける機能関連付け手段と、
前記関連付け手段により前記機能情報に関連付けられた前記スイッチ図形を、前記スイッチ領域に配置する配置情報を設定するレイアウト手段と、
前記レイアウト手段により設定された前記配置情報に基づき、前記スイッチ図形を前記操作パネルの前記表示手段に表示させる表示制御手段と、
を備えたことを特徴とする信号処理システム。
【請求項２】
前記機能分類手段は、前記システム構成に応じて、前記機能情報を複数の機能群に分類し、
前記レイアウト手段は、前記機能情報に関連付けられた前記スイッチ図形を、前記スイッチ領域上にて前記機能群毎に配置する
ことを特徴とする請求項１に記載の信号処理システム。
【請求項３】
前記表示制御手段は、
前記機能群毎に配置された前記スイッチ領域上の、前記機能情報に関連付けられた前記スイッチ図形の操作を、前記検知手段が検知した際に、前記操作パネルに前記スイッチ図形の操作に応じた操作画面を展開し、
前記レイアウト手段は、
前記操作画面における表示レイアウトを設定する
ことを特徴とする請求項１または２に記載の信号処理システム。
【請求項４】
前記レイアウト手段は、前記検知手段が検知した前記スイッチ図形に関連付けられた前記機能情報の設定状態を変更する状態変更表示領域を前記表示レイアウトとして設定する
ことを特徴とする請求項３に記載の信号処理システム。
【請求項５】
前記レイアウト手段は、
前記システム構成に応じた、複数の前記状態変更表示領域を設定し、
前記表示制御手段は、
前記複数の状態変更表示領域のうちの、前記システム構成に対応した１つの状態変更表示領域を有する操作画面を展開する
ことを特徴とする請求項４に記載の信号処理システム。
【請求項６】
前記レイアウト手段は、
複数の変更レベルで変更可能な、複数の前記状態変更表示領域を設定し、
前記表示制御手段は、
前記複数の状態変更表示領域を有する操作画面を展開する
ことを特徴とする請求項４に記載の信号処理システム。
【発明の詳細な説明】
【技術分野】
【０００１】
本発明は、体腔内を観察するための内視鏡から出力される画像信号に所定の処理を施す信号処理システムに関するものである。
【背景技術】
【０００２】
内視鏡、光源装置及び画像処理装置を要部として有して構成される内視鏡装置は、従来より、医療分野等において広く用いられている。特に、医療分野における内視鏡装置は、ユーザが生体内の検査、観察等の処置を行うという用途において主に用いられている。
【０００３】
医療分野における内視鏡装置を用いた観察として一般的に知られているものとしては、例えば、白色光を生体内に照射し、肉眼による観察と略同様の生体内の像を撮る通常観察の他に、特定の波長帯域を有する励起光を生体内に照射した際に生体内の生体組織が発する自家蛍光の像を撮り、該自家蛍光の像を観察することにより、生体内の正常部位および病変部位を判別することができる蛍光観察がある。
【０００４】
また、医療分野における内視鏡装置を用いた観察としては、例えば、通常観察における照射光よりも狭い帯域を有する光である狭帯域光を生体内に照射して観察を行う、狭帯域光観察（ＮＢＩ： ＮａｒｒｏｗＢａｎｄＩｍａｇｉｎｇ）というものも行われている。狭帯域光観察においては、粘膜表層の血管をよりコントラスト良く観察することが可能になる。
【０００５】
さらに、医療分野における内視鏡装置を用いた観察としては、例えば、近赤外の帯域を有する光である近赤外光を生体内に照射して観察を行う、赤外光観察というものも行われている。赤外光観察においては、インドシアニングリーン（ＩＣＧ）という、近赤外の帯域の光を吸収する特性を有する薬剤を血管内に注入することにより、通常観察では見ることのできない粘膜下深部の血行動態を観察することが可能になる。
【０００６】
上記内視鏡装置における画像処理を行う信号処理装置であるプロセッサの操作は、主に、該プロセッサのフロント部分に設けられたフロントパネルを操作することによって行われる。このフロントパネルの各入力部（操作ボタン等）には各種機能が割り当てられており、これらの入力部を操作すると、操作された入力部に応じて、例えば、光源部の調光や、外部モニタにおける体腔内の観察画像の表示に関する設定（エンハンス、カラーバランス、ブライトネス等）を行うことができる。
【０００７】
一般に、電子内視鏡用のプロセッサは、該プロセッサを購入した際に、既に、フロントパネルの各入力部に上述したような各種機能が、固定されて割り当てられている。従って、各入力部の配置によって術者が該入力部の操作性に不満を感じた場合であっても、該入力部の配置を変更することができないため、該操作性を改善することができなかった。
【０００８】
また近年、電子内視鏡及び電子内視鏡用のプロセッサは多様化、高性能化、及び高機能化しているため、フロントパネルに配置されている入力部の数は多くなる傾向にある。一般に電子内視鏡用のプロセッサは複数の術者が様々な電子内視鏡を装着して使用するため、複数の機種の電子内視鏡の全ての機能に対応して入力部が設けられている。従って、装着された電子内視鏡の機種によってはフロントパネルの入力部に割り当てられている機能の中に不要なものがあることがある。医療行為は迅速な判断が要求されるため、不要な機能を有した入力部の存在は望ましくなかった。
【０００９】
そこで、例えば、特開２００５−１８５５４１号公報等においては、術者にとって操作性が優れ、また、接続された電子内視鏡の種類に応じた、必要な入力部をユーザ毎に設定可能なタッチパネル機能を備えたフロントパネルが提案されている。
【特許文献１】特開２００５−１８５５４１号公報
【発明の開示】
【発明が解決しようとする課題】
【００１０】
しかしながら、従来の電子内視鏡用のプロセッサの操作パネルは、上述したように、全機能が固定に配置されたスイッチにて実現されていたが、様々な使用環境において、従来のようなスイッチが固定配置されたタイプの操作パネルでは、ユーザ毎に、「使用する機能」、「使用しない機能」が混在することになり、操作性が非効率的になる。
【００１１】
一方、上記特開２００５−１８５５４１号公報のような、タッチパネル機能による操作パネルでは、「使用しない機能」のスイッチの配置を避けることは可能であるが、上述したように、通常観察のみならず、狭帯域光観察、（自家）蛍光観察、赤外光観察等、今後、ますます内視鏡装置に要求される機能が増加すれば、操作パネルに配置すべきスイッチの数も増大し、このような増大したスイッチをタッチパネル機能による操作パネルに配置すると、操作するべきスイッチのサイズが小さくなるといったように、スイッチを適正なサイズにて配置することが難しくなったり、ユーザにとって適した配置を設定するための余計な手間を強いてしまうといった問題がある。
【００１２】
また、このような多機能な内視鏡装置を実現するためには、装置を構成する内視鏡、光源装置、プロセッサの種別も多岐にわたり、これらの機器毎の機能も多岐にわたり、適正な機器を組み合わせてシステムを構築すると、組み合わせた機器により実現できる、「実現可能な機能」と「実現できない機能」とが、システム的に混在する可能性がある。このような場合、従来のタッチパネル機能による操作パネルにおいては、システム上「実現可能な機能」とシステム上「実現できない機能」を適正に展開したスイッチを配置することができず、システム的に多機能な内視鏡装置については、スイッチ群が固定配置されたタイプの操作パネルと同様な問題が発生する虞れがある。
【００１３】
本発明は、上記事情に鑑みてなされたものであり、接続される機器の機能に応じた複数のスイッチを、操作パネル上にて適切な配置状態にて配置することで、システムの多機能化に対応し、かつ操作性を向上させることのできる信号処理システムを提供することを目的としている。
【課題を解決するための手段】
【００１４】
本発明の信号処理システムは、被写体の像を撮像して得られる撮像信号に基づいて映像信号を生成する映像処理装置と、前記映像処理装置に接続される外部機器とから構成される信号処理装置において、
前記映像処理装置の機能、あるいは前記外部機器が有する機能の、少なくとも１つの機能を動作させるためのスイッチ図形を表示する表示手段と、前記表示手段における前記スイッチ図形を表示するスイッチ領域での操作を検知する検知手段とを備えたタッチパネル機能を有する操作パネルと、
前記信号処理装置の機能及び前記外部機器が有する機能の、機能情報を格納した記憶手段と、
前記機能情報を前記記憶手段より読み出し、前記機能情報を前記映像処理装置及び前記外部機器からなるシステムのシステム構成に応じて分類する機能分類手段と、
前記機能分類手段にて分類された前記機能情報を、前記スイッチ図形に関連付ける機能関連付け手段と、
前記関連付け手段により前記機能情報に関連付けられた前記スイッチ図形を、前記スイッチ領域に配置する配置情報を設定するレイアウト手段と、
前記レイアウト手段により設定された前記配置情報に基づき、前記スイッチ図形を前記操作パネルの前記表示手段に表示させる表示制御手段と
を備えて構成される。
【発明の効果】
【００１５】
本発明によれば、接続された機器の機能に応じた複数のスイッチを、操作パネル上にて適切な配置状態にて配置することで、システムの多機能化に対応し、かつ操作性を向上させることができるという効果がある。
【発明を実施するための最良の形態】
【００１６】
以下、図面を参照しながら本発明の実施例について述べる。
【実施例１】
【００１７】
図１ないし図１７は本発明の実施例１に係わり、図１は内視鏡装置の構成を示すブロック図、図２は図１のプロセッサのＣＰＵの処理の流れを示すフローチャート、図３は図２の処理でのＣＰＵの情報分類部の作用を説明する図、図４は図２の処理でのＣＰＵの関連付け部の作用を説明する図、図５は図２の処理にて操作パネルのタッチパネル機能における表示例を示す図、図６は図５の構造強調スイッチの操作により展開される操作パネルの表示例を示す図、図７は図６の操作パネルの表示例の第１の変形例を示す図、図８は図７のレベル設定ボタンの操作により展開される詳細レベル設定ウインドウを示す図、図９は図５の構造強調スイッチの操作により展開される操作パネルの表示設定の観察モード毎の設定例を説明する図、図１０は図９の表示設定にて設定された際の観察モード毎の設定例に基づく、構造強調スイッチの操作により展開される操作パネルの表示例を示す第１の図、図１１は図９の表示設定にて設定された際の観察モード毎の設定例に基づく、構造強調スイッチの操作により展開される操作パネルの表示例を示す第２の図、図１２は図９の表示設定にて設定された際の観察モード毎の設定例に基づく、構造強調スイッチの操作により展開される操作パネルの表示例を示す第３の図、図１３は図９の表示設定にて設定された際の観察モード毎の設定例に基づく、構造強調スイッチの操作により展開される操作パネルの表示例を示す第４の図、図１４は内視鏡の種類毎の図５の構造強調スイッチの操作により展開される操作パネルの表示例を示す第１の図、図１５は内視鏡の種類毎の図５の構造強調スイッチの操作により展開される操作パネルの表示例を示す第２の図、図１６は図１の内視鏡装置の変形例の構成を示すブロック図、図１７は図１６のプロセッサのＣＰＵの処理の流れを示すフローチャートである。
【００１８】
（構成）
図１に示すように、本実施例の信号処理装置であるプロセッサ４は、内視鏡２、光源装置３、モニタ５、外部機器（例えばプリンタ）６、キーボード７等の機器と組み合わせて構成されることで、多機能の内視鏡装置１のシステムを構築する。
【００１９】
プロセッサ４は、内視鏡２の先端に設けられた固体撮像素子（図示せず）からの撮像信号を信号処理し、内視鏡画像をモニタ５、あるいは外部機器６に出力する映像信号処理部４１と、キーボード７からの入力指示信号等に基づいて、映像信号処理部４１を制御する表示制御手段としてのＣＰＵ４２を備えている。また、プロセッサ４は、装置前面にタッチパネル機能を有する操作パネル１０を備え、ＣＰＵ４２が操作パネル１０のタッチパネル機能を制御するようになっている。さらに、プロセッサ４は、プロセッサ４に接続される機器（内視鏡２、光源装置３、モニタ５、外部機器６）の機能情報を格納している記憶手段としてのメモリ４３を有している。
【００２０】
なお、内視鏡２、外部機器６のそれぞれの機器に、機器の機能情報を格納した記憶部である、メモリ２１、６１を設けてもよい。また、プロセッサ４は、光源装置３とは光源の種類を識別すための通信を行うようにしてもよい。
【００２１】
ＣＰＵ４２は、接続される機器（内視鏡２、光源装置３、モニタ５、外部機器６）の識別情報をキーボード７より入力することで、識別情報に基づいてメモリ４３より各機器の機能情報を読み出す（取得する）ようになっている。
【００２２】
ＣＰＵ４２は、取得した各機器の機能情報を分類する機能分類手段としての情報分類部４２ａと、分類した機能情報を操作パネル１０のタッチパネル機能における表示レイアウトと関連付ける機能関連付け手段としての関連付け部４２ｂと、表示レイアウトに関連付けられた分類された機能情報をスイッチとして配置するレイアウト手段としてのＳＷ配置部４２ｃと、を備えて構成される。なお、ＣＰＵ４２の、これら各部の詳細は、後述する。
【００２３】
（作用）
次に、このように構成された本実施例の作用について説明する。本実施例の信号処理装置であるプロセッサ４は、内視鏡２、光源装置３、モニタ５、外部機器（例えばプリンタ）６、キーボード７等の機器を接続し、多機能の内視鏡装置１を構築すると、まず、プロセッサ４は、キーボード７から接続された内視鏡２、光源装置３、モニタ５の識別情報の入力を待つ。
【００２４】
接続された内視鏡２、光源装置３、モニタ５の識別情報が、キーボード７からプロセッサ４に入力されると、プロセッサ４のＣＰＵ４２は、まずステップＳ１にて内視鏡２、光源装置４、モニタ５の識別情報に基づき、内視鏡２、光源装置３、モニタ５の機能情報をメモリ４３より取得する。次に、ＣＰＵ４２は、ステップＳ２にて外部機器６が接続されているかどうかを判断する。そして、外部機器６が接続されている場合は、ＣＰＵ４２は、ステップＳ３にてキーボード７からの外部機器６の識別情報に基づき、外部機器６の機能情報をメモリ４３より取得し、ステップＳ４に進み、外部機器６が接続されていない場合には、処理をステップＳ２からステップＳ４に移行する。
【００２５】
ステップＳ４では、ＣＰＵ４２は、情報分類部４２ａによって、内視鏡装置１を構築している各機器によるシステム構成に基づいて、取得した各機器（機器名）毎の機能情報を、図３に示すようなテーブルに従って、例えば、用途、対応観察光（観察モード）、光学拡大の有無、調光方式、光量調整の有無、ランプ交換（警告）の有無、画像処理内容、プリント機能の有無等に、分類する。
【００２６】
この分類によって、操作パネル１０のタッチパネル機能における表示レイアウトと関連付ける機能情報が、決定される。
【００２７】
決定された機能情報として、図３においては、用途＝（消化器系）上部観察、対応観察光（観察モード）＝通常光観察＆狭帯域（ＮＢＩ）光観察（図３の例では光源装置３が蛍光観察及び赤外光観察に対応していないため）、光学拡大＝無（図３の例ではＣＣＵ（カメラコントロールユニット＝プロセッサ４）が光学拡大に対応していないため）、調光方式＝Ａ方式（光源装置３がＡ方式のみに対応しているため）、光量調整＝有、ランプ交換（警告）＝有、画像処理内容＝電子拡大＆ＷＢ＆フリーズ＆構造強調＆色調整（内視鏡２のスコープＳＷがレリーズに対応していないため）、プリント機能＝有、となっている。
【００２８】
このように、各機器が対応している機能に応じて、システム的に実現可能な機能情報を、決定された機能情報としている。
【００２９】
このようにしてステップＳ４において、タッチパネル機能における表示レイアウトと関連付ける機能情報が決定されると、ＣＰＵ４２は、関連付け部４２ｂによって、ステップＳ５にて決定された機能情報（以下、設定機能情報と記す）を、図４に示すように、複数のスイッチ群のレイアウト情報と関連付ける。図４において、関連付け部４２ｂは、レイアウト情報としてのレイアウト位置情報と設定機能情報を関連付ける。レイアウト位置情報を示す「領域ｎ-ｍ」は、第ｎのスイッチ群の配置領域における、優先順位が第ｍ番目の配置位置を示している。本実施例では、スイッチ群としては、第１〜第３の３つのスイッチ群の例を示している。
【００３０】
本実施例では、例えば、
第１のスイッチ群は、本実施例の内視鏡装置１のシステム上必須の機能を実現するためのスイッチからなるスイッチ群（領域１-１＝ランプ交換スイッチ、領域１-２＝光量調整スイッチ、領域１-３＝調光Ａ方式スイッチ、領域１-４＝ＷＢスイッチ）となり、
第２のスイッチ群は、本実施例の内視鏡装置１のシステム上、設定可能な機能を実現するためのスイッチからなるスイッチ群（領域２-１＝通常光スイッチ、領域２-２＝狭帯域ＮＢＩ（狭帯域）光スイッチ、領域２-３＝電子拡大スイッチ、領域２-４＝構造強調スイッチ、領域２-５＝色調整スイッチ）となり、
第３のスイッチ群は、本実施例の内視鏡装置１のシステム上、ユーザの任意の要求に基づく機能を実現するためのスイッチからなるスイッチ群（領域３-１＝プリンタスイッチ）となっている。
【００３１】
そして、ＣＰＵ４２は、ＳＷ配置部４２ｃにより、ステップＳ６〜ステップＳ８にて、機能情報に関連付けられた各スイッチ群の各スイッチを、図５に示すように、スイッチ群毎の領域である、第１のスイッチ群表示領域１０１，第２のスイッチ群表示領域１０２，第３のスイッチ群表示領域１０３に、操作パネル１０のタッチパネル上において、配置し表示する。
【００３２】
以上のように、実施例１では、外部機器（内視鏡、光源装置を含む）から機種識別情報を取得し、プロセッサ４内で、図３のようなテーブルを用いてＳＷ配置を決定する。
【００３３】
（効果）
このように本実施例では、システム上必須の機能を実現するためのスイッチと、システム上、設定可能な機能を実現するためのスイッチ及びシステム上、ユーザの任意の要求に基づく機能を実現するためのスイッチとを、それぞれ異なる表示領域に、分類したスイッチ群として配置し表示するので、
（１）  第１のスイッチ群表示領域１０１に配置した必須の機能のスイッチを固定した機能スイッチとして扱うことが可能となり、
（２）  また第２のスイッチ群表示領域１０２に配置した設定可能な機能のスイッチを、システムに応じて設定可能な機能スイッチとして扱うことが可能となり、
（３）  さらに第３のスイッチ群表示領域１０３に配置したユーザの任意の要求に基づく機能のスイッチを任意設定の機能スイッチとして扱うことが可能となる
ために、システム上必須な機能は第１のスイッチ群により操作でき、またシステム上設定可能な機能は第２のスイッチ群により操作でき、さらにユーザの任意設定機能の、各機能を実現するためのスイッチは第２のスイッチ群により操作できるので、内視鏡装置が多機能のシステムを実現できるように構築しても、必要なスイッチを適切な位置に配置でき、操作性を向上させることができる。
【００３４】
また、第２のスイッチ群表示領域１０２に配置した設定可能な機能のスイッチは、システムを構築している機器の機能に基づいて、内視鏡装置１がシステム的に使用可能な機能のみから構成されるので、設定可能な機能のスイッチは構築されるシステムに応じたフレキシブルな配置が可能となる。
【００３５】
本実施例においては、用途を機能情報として取得しているので、用途に応じて、第２のスイッチ群表示領域１０２に配置する第２のスイッチ群の、各スイッチの配列の優先順位を設定することができる。
【００３６】
なお、図５において、例えば第２のスイッチ群表示領域１０２の構造強調スイッチ１１０を、タッチパネル機能によりユーザが押下して選択すると、操作パネル１０のタッチパネル画面が図６に示すような表示画面に遷移する。
【００３７】
図６の画面は、構造強調の強調レベルの詳細を設定する画面であって、例えばＩＨｂ(
ヘモグロビンインデックス)の強調レベルを設定する画面となっている。この画面では、ＩＨｂの強調レベルを大まかに設定する第１のレベル設定領域１１１と、ＩＨｂの強調レベルを詳細に設定する第２のレベル設定領域１１２と、からなる。
【００３８】
第１のレベル設定領域１１１は、従来よりあるレベル設定を行う領域であって、例えばＩＨｂ強調ボタン１１３を押下するごとに、３段階のレベルを示すインジケータ１１４の表示が変遷するように構成される。この第１のレベル設定領域１１１では、ＩＨｂ強調ボタン１１３の押下毎に、例えばＩＨｂ強調レベルが、第１レベル→第５レベル→第９レベル→第１レベル→・・というように、とびとびのレベルをトグル的に遷移させるようになっている。
【００３９】
第２のレベル設定領域１１２は、本実施例の特徴的なレベル設定領域であって、増減スイッチ１１５を操作することにより、例えばＩＨｂ強調レベルを、第１レベル←→第２レベル←→第３レベル←→第４レベル←→、・・、←→第１０レベルというように、設定可能な最小幅で強調レベルを増減させて設定することができる。
【００４０】
このように、本実施例では、第１のレベル設定領域１１１により従来のように大まかなレベル設定が可能であり、かつ第２のレベル設定領域１１２により必要に応じて最小幅にてレベルを増減させることで詳細なレベルを設定することができる。従来は、第１のレベル設定領域１１１にて大まかな設定を行うだけで、詳細な設定を行うためには、例えばメニュー画面を操作パネル１０に表示させ、このメニュー画面からレベルを詳細に設定するための、詳細設定画面等を展開表示させなければならなかった。
【００４１】
ところが、図６に示すように、図５に示したスイッチ群のスイッチの操作により展開される、タッチパネル上の画面においても、第１のレベル設定領域１１１の各部を第１のスイッチ群、第２のレベル設定領域１１２の各部を第２のスイッチ群として、異なる機能を分類して配置、表示できるため、メニュー画面等を用いる必要がなく、操作パネル１０における操作性を、より向上させることができる。
【００４２】
なお、図５に示したスイッチ群のスイッチの操作により展開される、操作パネル１０のタッチパネル上の画面においては、図７に示すように、レベル設定ボタン１２０を設けるようにしてもよい。ここで、図７では、ＩＨｂ強調レベルの他に、赤外強調レベルの設定が可能な画面となっており、レベル設定ボタン１２０を操作することにより、図８に示すような詳細レベル設定ウインドウ１２１を、操作パネル１０のタッチパネル上に表示させるようにしてもよい。この詳細レベル設定ウインドウ１２１は、各レベルを最小幅にて増減させることのできる増減ボタン１２２と、各レベルの設定状態を表示するインジケータ１２３と、を備えている。
【００４３】
また、本実施例においては、図５に示したスイッチ群のスイッチの操作により展開される、操作パネル１０のタッチパネル上の画面に関して、図９に示すように、観察モードに応じて、例えば第１のスイッチ群の名称及びレベル割当数、第２のスイッチ群の名称及びレベル割当数を設定するようにしてもよい。この図９の設定を実行することで、図５に示したスイッチ群のスイッチの操作により展開される、操作パネル１０のタッチパネル上の画面を、図１０ないし図１３にて、各観察モード（観察光）毎に示す。
【００４４】
また、本実施例においては、図５に示したスイッチ群のスイッチの操作により展開される、操作パネル１０のタッチパネル上の画面に関して、内視鏡の種類に応じた画面とすることができる。その一例として、特殊光観察機能としてＮＢＩ観察機能のみを有している内視鏡２がプロセッサに接続されてシステムを構成する場合の展開画面（構造強調設定画面）を図１４に示し、特殊光観察機能として赤外光観察機能のみを有している内視鏡２がプロセッサに接続されてシステムを構成する場合の展開画面（構造強調設定画面）を図１５に示す。図１４においてはＮＢＩ観察機能に応じたスイッチの表示をタッチパネル上に行い、さらに「ＮＢＩ内視鏡」と表示し、図１５においては赤外光観察機能に応じたスイッチの表示をタッチパネル上に行い、さらに「赤外用内視鏡」と表示する。これにより、通常光観察モードから特殊光観察モードへのモードの切り替えをせずとも、ユーザが容易にシステムの有する機能を把握することができる。
【００４５】
なお、本実施例では、内視鏡装置１を構成する各機器の機能情報は、メモリ４３に格納するとした（図１参照）が、これに限らず、図１６に示すように、メモリ４３の代わりに、内視鏡２、光源装置３、モニタ５、外部機器６のそれぞれの機器に、機器の機能情報を格納した記憶部である、メモリ２１、３１、５１、６１を設けてもよい。
【００４６】
この場合、プロセッサ４のＣＰＵ４２は、図１７に示すように、ステップＳ１（図２参照）の代わりのステップＳ１Ａにて内視鏡２、光源装置３、モニタ５の接続後に、内視鏡２、光源装置３、モニタ５の機能情報をメモリ２１、３１、５１より取得する。また、ＣＰＵ４２は、ステップＳ３（図２参照）の代わりのステップＳ３Ａにて外部機器６の接続後に、外部機器６の機能情報をメモリ６１より取得する。その他の処理は図２と同じであるので説明は省略する。
【００４７】
つまり、図１６では、外部機器（内視鏡、光源装置を含む）から、直接、機能情報を取得し、ＳＷ配置を決定する。
【００４８】
なお、本実施例では、観察モードの違いによるシステム構成の例を用いて説明したが、これに限らず、内視鏡２の挿入形状を検出し表示する、公知の内視鏡形状検出装置を外部機器としても、内視鏡形状検出装置の機能を例えば第２のスイッチ群に割り付けることで、内視鏡形状検出装置における機能を内視鏡装置１のシステム機能として、操作パネル１０上に効率的に配置することが可能である。
【００４９】
本発明は、上述した実施例に限定されるものではなく、本発明の要旨を変えない範囲において、種々の変更、改変等が可能である。
【図面の簡単な説明】
【００５０】
【図１】本発明の実施例１に係る内視鏡装置の構成を示すブロック図
【図２】図１のプロセッサのＣＰＵの処理の流れを示すフローチャート
【図３】図２の処理でのＣＰＵの情報分類部の作用を説明する図
【図４】図２の処理でのＣＰＵの関連付け部の作用を説明する図
【図５】図２の処理にて操作パネルのタッチパネル機能における表示例を示す図
【図６】図５の構造強調スイッチの操作により展開される操作パネルの表示例を示す図
【図７】図６の操作パネルの表示例の第１の変形例を示す図
【図８】図７のレベル設定ボタンの操作により展開される詳細レベル設定ウインドウを示す図
【図９】図５の構造強調スイッチの操作により展開される操作パネルの表示設定の観察モード毎の設定例を説明する図
【図１０】図９の表示設定にて設定された際の観察モード毎の設定例に基づく、構造強調スイッチの操作により展開される操作パネルの表示例を示す第１の図
【図１１】図９の表示設定にて設定された際の観察モード毎の設定例に基づく、構造強調スイッチの操作により展開される操作パネルの表示例を示す第２の図
【図１２】図９の表示設定にて設定された際の観察モード毎の設定例に基づく、構造強調スイッチの操作により展開される操作パネルの表示例を示す第３の図
【図１３】図９の表示設定にて設定された際の観察モード毎の設定例に基づく、構造強調スイッチの操作により展開される操作パネルの表示例を示す第４の図
【図１４】内視鏡の種類毎の図５の構造強調スイッチの操作により展開される操作パネルの表示例を示す第１の図
【図１５】内視鏡の種類毎の図５の構造強調スイッチの操作により展開される操作パネルの表示例を示す第２の図
【図１６】図１の内視鏡装置の変形例の構成を示すブロック図
【図１７】図１６のプロセッサのＣＰＵの処理の流れを示すフローチャート
【符号の説明】
【００５１】
１…内視鏡装置
２…内視鏡
３…光源装置
４…プロセッサ
５…モニタ
６…外部機器
７…キーボード
４１…映像信号処理部
４２…ＣＰＵ
４２ａ…情報分類部
４２ｂ…関連付け部
４２ｃ…ＳＷ配置部
４３…メモリ
【図１】
2009201593.tif 000003
【図２】
2009201593.tif 000004
【図３】
2009201593.tif 000005
【図４】
2009201593.tif 000006
【図５】
2009201593.tif 000007
【図６】
2009201593.tif 000008
【図７】
2009201593.tif 000009
【図８】
2009201593.tif 000010
【図９】
2009201593.tif 000011
【図１０】
2009201593.tif 000012
【図１１】
2009201593.tif 000013
【図１２】
2009201593.tif 000014
【図１３】
2009201593.tif 000015
【図１４】
2009201593.tif 000016
【図１５】
2009201593.tif 000017
【図１６】
2009201593.tif 000018
【図１７】
2009201593.tif 000019